(57)【要約】  非侵襲性結腸運動モニタリングシステムは、生体電気インピーダンスユニットと、筋電図ユニットと、演算装置とを備える。生体電気インピーダンスユニットは、対象の身体のインピーダンスを測定し、測定されたインピーダンスに応じて変化するインピーダンス信号を通信する。筋電図ユニットは、対象の身体の電圧を測定し、測定された電圧に応じて変化する電圧信号を通信する。演算装置は、インピーダンス信号を受信し、インピーダンス信号からインピーダンスデータを決定し、電圧信号を受信し、電圧信号から電圧データを決定し、インピーダンスデータからインピーダンスの導関数データを演算し、インピーダンスデータ、電圧データ、およびインピーダンスの導関数データのうちの任意の２つの間の相関を演算し、この相関に基づいて腸事象が発生しようとしている時期を判定し、腸事象の表示を提供するようにプログラムされた処理素子を含む。【選択図】図１
2020531082.tif 000002
【特許請求の範囲】
【請求項１】
結腸直腸領域において対象の身体のインピーダンスを測定し、前記測定されたインピーダンスに応じて変化するインピーダンス信号を通信するように構成された生体電気インピーダンスユニットと、
前記結腸直腸領域において前記対象の身体の電圧を測定し、前記測定された電圧に応じて変化する電圧信号を通信するように構成された筋電図ユニットと、
メモリ素子と電子通信する処理素子を含む演算装置と
を備え、前記処理素子は、
前記インピーダンス信号を受信し、前記インピーダンス信号からインピーダンスデータを決定し、
前記電圧信号を受信し、前記電圧信号から電圧データを決定し、
前記インピーダンスデータからインピーダンスの導関数データを演算し、
前記インピーダンスデータ、前記電圧データ、および前記インピーダンスの導関数データのうちの任意の２つの間の相関を演算し、
前記相関に基づいて腸事象が発生しようとしている時期を判定し、
前記腸事象の表示を提供する、非侵襲性結腸運動モニタリングシステム。
【請求項２】
前記生体電気インピーダンスユニットは、
電流を注入するように構成された電流源と、
電圧を測定するように構成された電圧計と、
前記電流源に結合された複数の電流電極と、
前記電圧計に結合された複数の電圧電極と
を備え、
第１の電流電極および第２の電流電極は、互いに離間して配置されるように構成され、
第１の電圧電極および第２の電圧電極は、互いに離間して、かつ前記第１の電流電極と前記第２の電流電極との間に配置されるように構成される、請求項１に記載の非侵襲性結腸運動モニタリングシステム。
【請求項３】
前記電流電極は、複数の位置に電流を注入するのに利用され、前記電圧電極は、前記同じ位置の近辺の電圧を測定するのに利用され、前記インピーダンス信号は、前記電流電極および前記電圧電極の前記位置によって境界付けられた領域について測定されたインピーダンスの平均値に応じて変化する、請求項２に記載の非侵襲性結腸運動モニタリングシステム。
【請求項４】
前記生体電気インピーダンスユニットは、４つの電流電極および４つの電圧電極を備え、前記４つの電流電極は、第１の四辺形を形成するように配置されて構成され、前記４つの電圧電極は、第１の電流電極対が第１の電圧電極対と概ね整列し、かつ第２の電流電極対が第２の電圧電極対と概ね整列するように、前記第１の四辺形よりも一つの寸法がより小さく、前記第１の四辺形内に位置する第２の四辺形を形成するように配置されて構成されてなる、請求項２に記載の非侵襲性結腸運動モニタリングシステム。
【請求項５】
前記第１の電流電極対および前記第１の電圧電極対は、垂直に配向される第１のインピーダンス測定群を形成し、前記第２の電流電極対および第２の電圧電極対は、垂直に配向される第２のインピーダンス測定群を形成し、
前記第１のインピーダンス測定群は、坐骨棘と尾骨との間の線に沿って前記対象の身体の左側に配置されるように構成され、前記第２のインピーダンス測定群は、前記坐骨棘と前記尾骨との間の線に沿って前記対象の身体の右側に配置されるように構成され、
前記第１の四辺形は、前記結腸直腸領域に概ね配置される、請求項４に記載の非侵襲性結腸運動モニタリングシステム。
【請求項６】
前記筋電図（ＥＭＧ）ユニットは、電圧を測定するように構成された電圧計と、前記電圧計に結合された複数のＥＭＧ電極とを備え、前記第１および第２のＥＭＧ電極は、各ＥＭＧ電極がいずれかのインピーダンス測定群の対向する端部に配置されるように、前記第１のインピーダンス測定群または前記第２のインピーダンス測定群のいずれかと概ね整列して配置されるように構成される、請求項５に記載の非侵襲性結腸運動モニタリングシステム。
【請求項７】
前記筋電図（ＥＭＧ）ユニットは、前記第１のＥＭＧ電極または前記第２のＥＭＧ電極のいずれかの近傍に配置されるように構成された第３のＥＭＧ電極を備える、請求項６に記載の非侵襲性結腸運動モニタリングシステム。
【請求項８】
前記処理素子は、前記インピーダンスデータと前記電圧データとの間の相関を演算し、前記相関が閾値よりも大きいときに腸事象が発生しようとしていると判定するようにさらに構成またはプログラムされている、請求項１に記載の非侵襲性結腸運動モニタリングシステム。
【請求項９】
前記インピーダンス信号および前記電圧信号を前記演算装置に無線で通信するように構成された通信素子をさらに備える、請求項１に記載の非侵襲性結腸運動モニタリングシステム。
【請求項１０】
前記生体電気インピーダンスユニットおよび前記筋電図ユニットを保持する衣料品をさらに含み、前記衣料品は、前記対象の前記結腸直腸領域を覆うように着用されるように構成される、請求項１に記載の非侵襲性結腸運動モニタリングシステム。
【請求項１１】
前記衣料品は、前記演算装置をさらに保持し、前記非侵襲性結腸運動モニタリングシステムは、前記腸事象の指標を無線通信するように構成されたワイヤレストランシーバをさらに備える、請求項１０に記載の非侵襲性結腸運動モニタリングシステム。
【請求項１２】
前記生体電気インピーダンスユニットは、４つの電流電極および４つの電圧電極を備え、前記４つの電流電極は、第１の四辺形を形成するように配置されて前記衣料品内に構成され、前記４つの電圧電極は、第１の電流電極対が第１の電圧電極対と概ね整列し、かつ第２の電流電極対が第２の電圧電極対と概ね整列するように、前記第１の四辺形よりも一つの寸法がより小さく、前記第１の四辺形内に位置する第２の四辺形を形成するように配置されて前記衣料品内に構成されてなる、請求項１０に記載の非侵襲性結腸運動モニタリングシステム。
【請求項１３】
前記第１の電流電極対および前記第１の電圧電極対は、垂直に配向される第１のインピーダンス測定群を形成し、前記第２の電流電極対および第２の電圧電極対は、垂直に配向される第２のインピーダンス測定群を形成し、
前記第１のインピーダンス測定群は、坐骨棘と尾骨との間の線に沿って前記対象の身体の左側に配置されるように構成され、前記第２のインピーダンス測定群は、前記坐骨棘と前記尾骨との間の線に沿って前記対象の身体の右側に配置されるように構成され、
前記第１の四辺形は、前記衣料品が前記対象に着用される際に前記対象の前記結腸直腸領域に概ね配置される、請求項１２に記載の非侵襲性結腸運動モニタリングシステム。
【請求項１４】
前記筋電図（ＥＭＧ）ユニットは、電圧を測定するように構成された電圧計と、前記電圧計に結合された複数のＥＭＧ電極とを備え、前記第１および第２のＥＭＧ電極は、各ＥＭＧ電極が前記衣料品におけるいずれかのインピーダンス測定群の対向する端部に配置されるように、前記第１のインピーダンス測定群または前記第２のインピーダンス測定群のいずれかと概ね整列して配置されるように構成される、請求項１３に記載の非侵襲性結腸運動モニタリングシステム。
【請求項１５】
前記衣料品は、前記電流電極、前記電圧電極、および前記ＥＭＧ電極を、前記衣料品の少なくとも一部を形成する布地内に保持する、請求項１４に記載の非侵襲性結腸運動モニタリングシステム。
【請求項１６】
前記処理素子は、前記インピーダンスデータと前記電圧データとの間の相関を演算し、前記相関が閾値よりも大きいときに腸事象が発生しようとしていると判定するようにさらに構成またはプログラムされている、請求項１０に記載の非侵襲性結腸運動モニタリングシステム。
【請求項１７】
生体電気インピーダンスユニットの電流源に電気的に接続されるように構成され、第１の四辺形を形成するように配置された４つの電流電極と、
前記生体電気インピーダンスユニットの電圧計に電気的に接続するように構成された４つの電圧電極であって、前記４つの電圧電極は、第１の電流電極対が第１の電圧電極対と概ね整列して第１のインピーダンス測定群を形成し、かつ第２の電流電極対が第２の電圧電極対と概ね整列して第２のインピーダンス測定群を形成するように、前記第１の四辺形よりも一つの寸法がより小さく、前記第１の四辺形内に位置する第２の四辺形を形成すべく配置されてなる４つの電圧電極と、
筋電図（ＥＭＧ）ユニットの電圧計に電気的に接続されるように構成された３つのＥＭＧ電極であって、第１および第２のＥＭＧ電極は、各ＥＭＧ電極がいずれかのインピーダンス測定群の対向する端部に配置されるように、前記第１のインピーダンス測定群または前記第２のインピーダンス測定群のいずれかと概ね整列して配置され、第３のＥＭＧ電極は、前記第１のＥＭＧ電極または前記第２のＥＭＧ電極のいずれかの近傍に配置されてなる３つのＥＭＧ電極とを備える、
結腸運動モニタリング電極のアレイ。
【請求項１８】
前記電流電極、前記電圧電極、および前記ＥＭＧ電極は、対象の身体の結腸直腸領域を覆いながら着用される衣料品の少なくとも一部を形成する布地内に保持される、請求項１７に記載の結腸運動モニタリング電極のアレイ。
【請求項１９】
対象の身体の結腸直腸領域のインピーダンスを測定し、
前記インピーダンスの測定からインピーダンスデータを決定し、
前記対象の身体の前記結腸直腸領域の筋電図（ＥＭＧ）電圧を測定し、
前記ＥＭＧ電圧の測定からＥＭＧ電圧データを決定し、
前記インピーダンスデータを前記ＥＭＧ電圧データと比較し、
前記インピーダンスデータを前記ＥＭＧ電圧データと比較することに基づいて結腸活動を判定すること
を含んでなる、非侵襲性結腸活動のモニタリング方法。
【請求項２０】
さらに前記インピーダンスデータからインピーダンスの導関数データを演算し、
前記インピーダンスデータ、前記ＥＭＧ電圧データ、および前記インピーダンスの導関数データのうちの任意の２つの間の相関を演算し、
前記相関に基づいて腸事象が発生しようとしている時期を判定し、
前記腸事象の指標を提供する、請求項１９に記載の方法。
【請求項２１】
さらに前記腸事象について介護者に警告する、請求項２０に記載の方法。
【請求項２２】
前記警告は、視覚的または聴覚的通知である、請求項２１に記載の方法。
【請求項２３】
前記対象は子供であり、前記介護者は親であり、前記警告は、前記腸事象を前記親に通知することであり、前記方法が前記子供のトイレトレーニングを補助するのに有用である、請求項２１に記載の方法。
【請求項２４】
前記対象は、介護ホーム居住者である、請求項２１に記載の方法。
【請求項２５】
前記対象が術後患者であり、前記介護者が医師である、請求項２１に記載の方法。
【請求項２６】
前記インピーダンスを測定することは、前記対象の皮膚上に離間して配置された一組の電流電極を配置することを含み、前記電流電極の位置は、電界の周囲を画定する、請求項１９に記載の方法。
【請求項２７】
前記インピーダンスを測定することは、さらに、前記対象の皮膚上に一組の電圧電極を離間して配置することを含み、前記電圧電極の位置は、各電圧電極がそれぞれの電流電極に近接するように、前記電界の周囲内にある、請求項２１に記載の方法。
【請求項２８】
前記一組の電流電極は、第１の四辺形を形成するように配置された４つの電極を含み、
前記一組の電圧電極は、前記第１の四辺形よりも一つの寸法がより小さく、前記第１の四辺形内に位置する第２の四辺形を形成すべく配置されてなる４つの電極を含む、請求項２６に記載の方法。
【請求項２９】
第１の電流電極対は、第１の電圧電極対と概ね整列され、第２の電流電極対は、第２の電圧電極対と概ね整列される、請求項２８に記載の方法。
【請求項３０】
前記ＥＭＧ電圧を測定することは、前記対象の皮膚上に一組のＥＭＧ電極を離間して配置することを含み、前記ＥＭＧ電極は、前記第１の四辺形の外に配置される、請求項２８に記載の方法。
【請求項３１】
前記一組のＥＭＧ電極は、第１の電流電極に近接して配置された第１のＥＭＧ電極と、第２の電流電極に近接して配置された第２のＥＭＧ電極と、前記第１のＥＭＧ電極または前記第２のＥＭＧ電極に近接して配置された第３のＥＭＧ電極とを含む、請求項３０に記載の方法。
【請求項３２】
前記対象によって着用される前記電極を備える衣料品を提供することをさらに含んでなる、請求項３１に記載の方法。
【請求項３３】
前記測定の前に、前記対象に活性剤を投与することをさらに含んでなり、前記方法は、前記対象の前記結腸活動への前記活性剤の効果を判定することをさらに含んでなる、請求項１９に記載の方法。
【請求項３４】
前記対象がペットまたは他の動物である、請求項１９に記載の方法。
【発明の詳細な説明】
【技術分野】
【０００１】
関連出願の相互参照
本出願は、２０１７年８月１８日に出願の「非侵襲性結腸運動モニタリングシステム」と題する米国仮出願第６２／５４７５４２号の優先権の利益を主張するものであり、参照することにより本明細書に取り込まれる。
【０００２】
発明の分野
本発明の実施形態は、生体電気インピーダンスの測定に基づいて結腸活動をモニタリングするための非侵襲性システムに関する。
【背景技術】
【０００３】
関連技術の説明
腸および節制の問題は、小児および成人のいずれにも影響を及ぼし、助けを求める多くの患者は、初期には、非外科的または非内科的な治療に失敗することがある。便秘、過敏性腸症候群、便失禁などの問題は、患者や介護者を衰弱させ、生活の質の低下、抑うつ、および行動の問題につながる可能性がある。また、治療されていない不調は、慢性状態および他の身体的影響を引き起こす可能性がある。９歳未満の３分の１もの小児が、根本的な原因を特定されないまま便秘を経験する。便秘および他の腸の不規則性はまた、小児のトイレトレーニングの際にしばしば見受けられる。さらに、腸の不規則性は、手術、老化、陣痛および分娩、疾患、または他の内在する神経筋障害などの他の状態または事象の二次的な影響としても生じ得る。残念なことに、内在する状態および原因を評価し、かつ治療上の選択肢を評価するために腸活動を調査およびモニタリングするための現在の方法は、体内に設置されるカテーテルが必要となる侵襲的技術を必要とする。つまり、進行中の腸の不規則性の病態生理を明らかにすることは、現在困難であり、侵襲的である。加えて、結腸機能の一般的なモニタリングのためのより侵襲性の低い技術は、単に聴診器で腹部を聴くことを含み、対象の状態に関する実際の情報をほとんど提供しない。
【０００４】
したがって、詳細な情報が望まれる急性または慢性疾患および腸機能不全を調査する目的、ならびにトイレトレーニングなどの結腸活動を評価する一般的な目的のいずれにとっても有用である、結腸活動をモニタリングするためのより侵襲性の少ない技術が依然として必要とされている。
【発明の概要】
【０００５】
発明の概要
本発明の実施形態は、上述の問題を解決し、非侵襲性結腸運動モニタリングの技術において明らかな進歩を提供するものである。本発明の様々な実施形態は、結腸直腸領域における対象の身体の生体電気インピーダンスＺおよび筋電図電圧を測定するシステムを提供する。測定値を含む信号を処理することにより、「腸事象」を判定するために使用することができる情報が提供され、これは、本明細書では、対象における目前の腸運動を示す結腸収縮を示すために使用される。
【０００６】
システムの一実施形態は、生体電気インピーダンスユニットと、筋電図ユニットと、演算装置とを備える。生体電気インピーダンスユニットは、結腸直腸領域において対象の身体のインピーダンスを測定し、測定されたインピーダンスに応じて変化するインピーダンス信号を通信するように構成される。筋電図ユニットは、結腸直腸領域において対象の身体の電圧を測定し、測定された電圧に応じて変化する電圧信号を通信するように構成される。演算装置は、インピーダンス信号を受信し、インピーダンス信号からインピーダンスデータを決定し、電圧信号を受信し、電圧信号から電圧データを決定し、インピーダンスデータからインピーダンスの導関数データを計算し、インピーダンスデータ、電圧データ、およびインピーダンスの導関数データのうちの任意の２つの間の相関を演算し、この相関に基づいて腸事象が発生しようとしている時期を判定し、腸事象の指標を提供するように構成またはプログラムされた処理素子を備える。
【０００７】
本発明の別の実施形態は、生体電気インピーダンスユニットと、筋電図ユニットと、衣料品と、演算装置とを備える非侵襲性結腸運動モニタリングシステムを提供する。生体電気インピーダンスユニットは、結腸直腸領域において対象の身体のインピーダンスを測定し、測定されたインピーダンスに応じて変化するインピーダンス信号を通信するように構成される。筋電図ユニットは、結腸直腸領域において対象の身体の電圧を測定し、測定された電圧に応じて変化する電圧信号を通信するように構成される。演算装置は、インピーダンス信号を受信し、インピーダンス信号からインピーダンスデータを決定し、電圧信号を受信し、電圧信号から電圧データを決定し、インピーダンスデータからインピーダンスの導関数データを計算し、インピーダンスデータ、電圧データ、およびインピーダンスの導関数データのうちの任意の２つの間の相関を演算し、この相関に基づいて腸事象が発生しようとしている時期を判定し、腸事象の指標を提供するように構成またはプログラムされた処理素子を備える。
【０００８】
本発明のさらに別の実施形態は、４つの電流電極、４つの電圧電極、および３つの筋電図（ＥＭＧ）電極を備える結腸運動モニタリング電極のアレイを提供する。電流電極は、生体電気インピーダンスユニットの電流源に電気的に接続されるように構成され、第１の四辺形を形成するように配置される。電圧電極は、生体電気インピーダンスユニットの電圧計に電気的に接続されるように構成される。電圧電極は、第１の電流電極対が第１の電圧電極対と概ね整列して第１のインピーダンス測定群を形成し、かつ第２の電流電極対が第２の電圧電極対と概ね整列して第２のインピーダンス測定群を形成するように、第１の四辺形よりも一つの寸法が小さく、第１の四辺形内に位置する第２の四辺形を形成するように配置される。ＥＭＧ電極は、ＥＭＧユニットの電圧計に電気的に接続されるように構成される。第１および第２のＥＭＧ電極は、各ＥＭＧ電極がいずれかのインピーダンス測定群の対向する端部に配置されるように、第１のインピーダンス測定群または第２のインピーダンス測定群のいずれかと概ね整列して配置される。第３のＥＭＧ電極は、第１または第２のＥＭＧ電極のいずれかの近傍に配置される。
【０００９】
本発明の他の実施形態は、対象の骨盤領域に電流を印加するために皮膚上に配置された第１の組の電極を概ね備えるシステムを提供し、ここで第１の組の電極が、対象の結腸を中心とする電界を発生する構成で電流を印加し、電界の周囲内で皮膚上に配置された第２の組の電極が、電界を横切る電圧変化を測定する。インピーダンス値（Ｚ）は、測定された電圧および電圧の経時変化（ｄＺ／Ｔ）から計算される。このシステムはさらに、対象の筋骨格運動、特に骨盤領域における内部運動からの電気信号を測定するための第３の組の電極を備える。ＥＭＧ信号に対するインピーダンス値の経時的な比較は、結腸活動を示す。
【００１０】
内因性の結腸活動（例えば、結腸平滑筋の収縮）は、平均ＥＭＧ信号とインピーダンス（Ｚ）信号との間の高い相関と、同時発生的なＺとｄＺ／ｄｔとの間の低い相関とによって特徴付けられる。このような条件下では、システムは一次的な「陽性結果」を示す。りきむ動作（内部プッシングとして記載される）も平均ＥＭＧ信号とＺとの間に高い相関を示すようだが、休息または他の条件と比較してＺとｄＺ／ｄｔとの間の相関に変化はないように見られる。これは、対象が衝動又は欲求に応答して排便を試みているかもしれない際に、二次的な「陽性結果」となり得る。
【００１１】
また、様々な方法でシステムを使用する方法も記載される。方法には、トイレトレーニングのための結腸活動のモニタリング、術後モニタリング、腸の不規則性のための医学的介入などを含む。ペットおよび他の非ヒト動物にこのシステムを使用するための方法もまた記載される。本方法は、本明細書に記載されるように、システムの電極を所望の構成に載置し、電流を流し、システムによって提供される出力データまたは情報をレビューすることを概ね含む。そのようなデータは、波形に関する詳細な情報を含んでもよいし、または単に結腸活動の陽性または陰性指標であってもよい。
【００１２】
この発明の概要は、以下の詳細な説明でさらに説明される概念の選択を簡略化された形態で紹介するために提供されるものである。なお、この発明の概要は、特許請求される主題の重要な特徴または必須な特徴を識別することを意図するものではなく、特許請求される主題の技術的範囲を限定するために使用されることを意図するものでもない。本発明の他の態様および利点は、以下の実施形態の詳細な説明および添付の図面から明らかになるだろう。
【図面の簡単な説明】
【００１３】
添付の図面を参照して、本発明の実施形態を以下に詳細に説明する。
【００１４】
【図１】図１は、結腸運動をモニタリングするための、本発明の様々な実施形態に従って構築されたシステムの模式ブロック図であり、システムは、生体電気インピーダンス（ＥＢＩ）ユニット、筋電図（ＥＭＧ）ユニット、および演算装置を備える。
【図２】図２は、ＥＢＩユニットの様々な電子部品を示す模式ブロック図である。
【図３Ａ】図３Ａは、対象の体内への電流の注入を示す模式ブロック図である。
【図３Ｂ】図３Ｂは、対象の体内への電流の注入および電流の注入部位における電圧の測定を示す模式ブロック図である。
【図４】図４は、ＥＢＩユニットとともに用いられる電極の第１の構成を示す模式ブロック図である。
【図５】図５は、ＥＢＩユニットとともに用いられる電極の第２の構成を示す模式ブロック図である。
【図６】図６は、ＥＢＩユニットとともに用いられる電極の第３の構成を示す模式ブロック図である。
【図７】図７は、ＥＭＧユニットの様々な電子部品を示す模式ブロック図である。
【図８】図８は、ＥＭＧユニットとともに用いられる電極の構成を示す模式ブロック図である。
【図９Ａ】図９Ａは、骨格構造に関連する、インピーダンスＺを測定するために推奨される電極配置の位置を、ハッチングされたボックスによって示す人体の図である。
【図９Ｂ】図９Ｂは、結腸位置に関連する、インピーダンスＺを測定するために推奨される電極配置の位置を、ハッチングされたボックスによって示す人体の図である。
【図９Ｃ】図９Ｃは、対象の後方外側に関連する、インピーダンスＺを測定するために推奨される電極配置の位置を、ハッチングされたボックスによって示す人体の図である。
【図９Ｄ】図９Ｄは、対象の側面外側に関連する、インピーダンスＺを測定するために推奨される電極配置の位置を、ハッチングされたボックスによって示す人体の図である。
【図１０】図１０は、対象の身体に関連する、ＥＢＩユニットに接続された電極およびＥＭＧユニットに接続された電極の配置を示す模式ブロック図である。
【図１１】図１１は、本発明の様々な実施形態で利用される衣料品の正面図である。
【図１２】図１２は、図１１の衣料品の背面図であり、電子ユニットと、ＥＢＩユニットのための電極およびＥＭＧユニットのための電極の配置とをさらに示す。
【図１３】図１３は、電子ユニットの様々な電子部品を示す模式ブロック図である。
【図１４Ａ】図１４Ａは、対象が半臥位で休んでいる状態で、プロトコールの各ステップにおいて、様々な臨床状況に対するインピーダンスＺ測定値、導関数ｄＺ／ｄｔ、およびＥＭＧ電圧の測定値について振幅対時間のプロットを示す。
【図１４Ｂ】図１４Ｂは、脚の持ち上げに誘発される外乱を伴う状態で、インピーダンスＺ測定値、導関数ｄＺ／ｄｔ、およびＥＭＧ電圧の測定値について振幅対時間のプロットを示す。
【図１４Ｃ】図１４Ｃは、胃の圧迫に誘発される外乱を伴う状態で、インピーダンスＺ測定値、導関数ｄＺ／ｄｔ、およびＥＭＧ電圧の測定値について振幅対時間のプロットを示す。
【図１４Ｄ】図１４Ｄは、内部プッシング（りきみ）に誘起される外乱を伴う状態で、インピーダンスＺ測定値、導関数ｄＺ／ｄｔ、およびＥＭＧ電圧の測定値について振幅対時間のプロットを示す。
【図１４Ｅ】図１４Ｅは、投薬（緩下剤）に誘発される外乱を伴う状態で、インピーダンスＺ測定値、導関数ｄＺ／ｄｔ、およびＥＭＧ電圧の測定値について振幅対時間のプロットを示す。
【図１５】図１５は、対象がヨーグルトおよび果物を含む朝食を食べた後の、インピーダンスＺ測定値、導関数ｄＺ／ｄｔ、およびＥＭＧ電圧の測定値について振幅対時間のプロットである。
【図１６】図１６は、対象がチョコレートミルクを摂取した後の、インピーダンスＺ測定値、導関数ｄＺ／ｄｔ、およびＥＭＧ電圧の測定値について振幅対時間のプロットである。
【図１７Ａ】図１７Ａは、対象が冷たいフルーツジュースを摂取した後、約７８０〜８１５秒間におけるインピーダンスＺ測定値、導関数ｄＺ／ｄｔ、およびＥＭＧ電圧の測定値について振幅対時間のプロットを示す。
【図１７Ｂ】図１７Ｂは、対象が冷たいフルーツジュースを摂取した後、約８７０〜９００秒間におけるインピーダンスＺ測定値、導関数ｄＺ／ｄｔ、およびＥＭＧ電圧の測定値について振幅対時間のプロットを示す。
【図１７Ｃ】図１７Ｃは、対象が冷たいフルーツジュースを摂取した後、約１１０５〜１１４０秒間におけるインピーダンスＺ測定値、導関数ｄＺ／ｄｔ、およびＥＭＧ電圧の測定値について振幅対時間のプロットを示す。
【図１７Ｄ】図１７Ｄは、対象が冷たいフルーツジュースを摂取した後、約１０８０〜１１１０秒間におけるインピーダンスＺ測定値、導関数ｄＺ／ｄｔ、およびＥＭＧ電圧の測定値について振幅対時間のプロットを示す。
【００１５】
図面は、本発明を本明細書に開示され説明された特定の実施形態に限定するものではない。図面は、必ずしも縮尺通りではなく、その代わりに、本発明の原理を明確に図示することに重点が置かれている。
【発明の具体的説明】
【００１６】
好ましい実施形態の詳細な説明
本発明の以下の詳細な説明は、本発明を実施することができる特定の実施形態を示す添付の図面を参照する。本実施形態は、当業者が本発明を実施することを可能にするのに十分詳細に本発明の態様を説明することを意図している。他の実施形態は、本発明の範囲から逸脱することなく、利用することができ、かつ変更を行うことができる。したがって、以下の詳細な説明は、限定的な意味で解釈されるべきではない。本発明の範囲は、添付の特許請求の範囲と、そのような特許請求の範囲が権利を有する均等の全範囲とによってのみ定義される。
【００１７】
この説明では、「一実施形態」、「一つの実施形態」、または「複数の実施形態」と言及しているのは、言及対象の１つの特徴または複数の特徴が、本技術の少なくとも１つの実施形態に含まれることを意味する。またこの説明での「一実施形態」、「一つの実施形態」、または「複数の実施形態」と個別に言及しているのは、必ずしも同じ実施形態について言及しているのではなく、またそのように述べられていない限り、および／または説明から当業者に容易に明らかになることを除いて、相互に排他的であるわけではない。例えば、一実施形態で説明された特徴、構造、動作などは、他の実施形態に含まれてもよいが、必ずしも含まれるとは限らない。よって、本技術は、本明細書で説明される実施形態の様々な組合せおよび／または統合を含むことができる。
【００１８】
本発明は、結腸活動、特に結腸の運動および収縮を非侵襲的に検出およびモニタリングするためのシステムに関する。このシステムは、結腸運動の連続的または断続的なモニタリングを可能とし、行動変形例、バイオフィードバック、術後ケア、老人ケア、入院および外来ケア、ならびに薬力学的分析を補助することができる。例えば、システムは、排便の必要性またはトイレを試みるための最良の時間を示す結腸活動を介護者または親に警告するように、子供、言葉が不自由な個人、さらにはペットのトイレトレーニングを補助するのに使用されることができる。また、システムは、介護者が患者または居住者に付き添い、トイレに行くのを補助できるように、高齢患者または介護ホーム居住者のトイレの必要性を介護者に警告または信号で知らせるために使用することもできる。システムはまた、結腸活動を警告または信号で知らせて、切迫したおむつ交換の必要性を介護者に警告し、患者が汚れる時間を短縮することができる。システムはまた、手術後の患者の消化および排泄の状態に関する情報を介護者に提供するために、かつトイレの必要が生じたときに介護者に警告するために、手術後のケアのような入院患者のモニタリングに使用することもできる。
【００１９】
このような手法は、ヒトおよび動物のいずれの術後患者にも適用可能である。システムはまた、高齢のまたは失禁するペットのモニタリングを容易にし、ペットの飼い主が、排便する時間にペットを外部またはトイレに連れていくことによって「事故」を回避するのを助けることができる。システムはまた、便秘などのトイレ問題のために医薬品に基づく介入と併せて使用することができ、その特定の対象に対する薬剤の進捗および効果をモニタリングすることを補助することができる。システムはまた、腸機能に対する多様な薬剤の効果を分析するための一般的な使用が見い出され、一般的な薬力学的分析を補助することができる。特に、システムは、精密医療を伝達するための生理学的データを提供することができる。便秘の治療のための薬理剤の用量および最大効果までの時間が推定され、一般化される。特定の患者に対して、医療提供者は、腸収縮性に関するデータを使用して、排便を補助するため、推奨される薬剤の使用をガイドすることができる。このシステムは、結腸運動をモニタリングするために患者の体内に結腸カテーテルの配置が必要となる従来技術の状態と比べて、明らかに異なる重要な利点を提供することは認められるものであろう。
【００２０】
ここで、図面を参照して、システムをより詳細に説明する。図１を参照すると、本発明の実施形態に従って構築された非侵襲性結腸運動モニタリングシステム１０は、生体電気インピーダンス（ＥＢＩ）ユニット１２、筋電図（ＥＭＧ）ユニット１４、および演算装置１６を汎用的に備える。
【００２１】
ＥＢＩユニット１２は、局所領域における対象の身体の電気インピーダンス（Ｚ）または電気抵抗を概ね測定する。結腸直腸領域で測定されたインピーダンスＺは、少なくとも部分的に結腸活動を示し得る。ＥＢＩユニット１２は、図２に示すように、電流源１８と、電圧計２０と、第１の複数の電極２２と、第２の複数の電極２４とを備える。ＥＢＩユニット１２は、任意に、インピーダンス計算機２６を備えてもよい。電流源１８は、その値が一定であり、かつ／またはその端子間の電圧、または電流を供給している負荷とは無関係に制御される電流を発生する。電流源１８は、対象の体内に電流を注入するように概ね構成される。電流源１８は、定電流を発生することができる一般に知られている能動電気／電子回路を備える。電流源１８はまた、第１の端子および第２の端子を含む。電流源１８の例示的な実施形態は、１ミリアンペア（ｍＡ）未満の振幅および約５０キロヘルツ（ｋＨｚ）の周波数を有する交流（ＡＣ）電流を発生する。電流源１８は、電流を発生させるためにそれを作動させる制御信号を受信し得る。
【００２２】
電圧計２０は、その端子間の実体物の電圧を概ね感知、検出、および／または測定する。電圧計２０は、電圧を感知、検出、および／または測定する一般的に知られている電気／電子回路を備える。電圧計２０はまた、第１（正）端子および第２（負）端子を有する。電圧計２０は、アナログまたはデジタルであり、および／または端子間の電圧の値を示すデータを含む、電圧レベルまたは電流レベルなどの測定された電圧信号を出力する。
【００２３】
電極２２および２４は、対象の身体への電気的接続を概ね提供する。各電極２２および２４は、金属または金属合金などの導電性材料から形成されたほぼ平面状な接触面を含む。この接触面は、対象の身体の皮膚の表面上に物理的に接触する。各電極２２および２４は、導電性接触面を取り囲むハウジングと、接触面に電気的に接続された導電性ワイヤまたはケーブルとをさらに備えてもよい。ワイヤまたはケーブルは、電極２２を電流源１８または電圧計２０の端子のうちの一つに電気的に接続するために利用される。第１の電極２２は、電流源１８に関連付けられ、結合され、または電気的に接続され、「電流電極」２２とみなされ、または称されてもよい。第２の電極２４は、電圧計２０に関連付けられ、結合され、または電気的に接続され、かつ「電圧電極」２４とみなされ、または称されてもよい。
【００２４】
インピーダンス計算機２６は、インピーダンスＺを概ね計算または決定し、プロセッサなどのアナログおよび／またはデジタル回路、ならびにアナログ電圧をサンプリングし、デジタルデータに変換するアナログデジタル変換器（ＡＤＣ）を含んでもよい。いくつかの実施形態では、電流源１８によって生成される電流値が既知である。他の実施形態では、電流源１８からの電流は、インピーダンス計算機によって感知または測定される。測定された電圧信号は、電圧計２０から受信される。いくつかの実施形態では、電圧および電流は、インピーダンス計算機によって増幅され、減衰され、レベルシフトされ、乗算され、積分され、またはそれらが組み合わせされて、測定されたインピーダンスＺの値に応じて変化し、その値に対応し、または含む、測定されたインピーダンス信号が出力されてもよい。他の実施形態では、電圧および／または電流は、ＡＤＣによって、それぞれ、サンプリングされ、デジタル電圧値および電流値に変換されてもよい。電流の値が既に知られている場合、デジタル電圧値は、電流を表す定数値で除算されてもよい。あるいは、デジタル電圧値は、デジタル電流値で除算されてもよい。いずれの方法でも、インピーダンス計算機２６は、インピーダンスＺの値を示すデジタルデータ形式のサンプル値のストリーム、シリーズ、またはシーケンスを含む、測定されたインピーダンス信号を出力する。さらに、電流が電流源１８により複数の位置に注入され、電圧が電圧計２０により同じ位置で測定されてもよい。インピーダンス計算機２６は、電流値および電圧値の平均を決定または計算し、平均インピーダンスＺを決定または計算してもよい。測定されたインピーダンス信号は、測定されたインピーダンスＺの平均値に応じて変化し、それに対応し、またはそれを含んでもよい。
【００２５】
ＥＢＩユニット１２は、次のように動作する。ＥＢＩユニット１２は、電流源１８によっても受信される制御信号を受信してもよい。電流源１８は、制御信号を受信すると、図３Ａに矢印で示すように、対象の体内に注入される電流を発生する。この電流は、図３Ａに曲線で示すように、対象の体内を流れる。電流源１８は、制御信号が受信されている限り、または制御信号が受信されてから所定の期間、電流を発生し得る。一般に、対象の身体を流れる電流は、図３Ｂに示すように、電界２８を生成する。電圧計２０は、図３Ｂに矢印で示すように、電界２８の電圧を測定する。原則として、電圧は、電流が注入される点間で測定される。ＥＢＩユニット１２がインピーダンス計算機２６を備える場合、インピーダンス計算機２６は、電圧計２０から測定された電圧信号を受信し、任意に、電流源１８から電流信号を受信する。インピーダンス計算機２６は、測定されたインピーダンス信号を出力し、これもＥＢＩユニット１２によって出力される。典型的には、測定されたインピーダンス信号は、インピーダンスＺのデジタルデータ形式のサンプル値のストリーム、シリーズ、またはシーケンスを含む。他の実施形態では、ＥＢＩユニット１２は、測定された電圧信号、および任意で電流信号を出力してもよい。
【００２６】
電流が複数の位置に注入され、それらの位置で電圧が測定される場合、測定されたインピーダンス信号は、電流注入および電圧測定の位置によって境界付けられた領域について測定されたインピーダンスＺの平均値に応じて変化し、それに対応し、またはそれを含んでもよい。例示的な実施形態では、ＥＢＩユニット１２は、図１０に示すように、電流源１８および電圧源２０に結合または電気的に接続された８つの電極２２および２４を含み、４つの電流電極２２および４つの電圧電極２４を有する。インピーダンス計算機２６は、測定された電圧を受け、電流値を提供される。インピーダンス計算機２６、よってＥＢＩユニット１２は、測定されたインピーダンス信号を出力するものであり、この信号は、８つの電極２２および２４によって境界付けられた対象の身体の領域における、平均インピーダンスＺの、デジタルデータ形式のサンプル値のストリーム、シリーズ、またはシーケンスを含む。さらに、インピーダンス測定のために電極２２および２４を配置（positioning）または配置（placing）するとき、２つの電流電極２２は、互いに離間して配置され、２つの電圧電極２４は、互いに離間し、２つの電流電極２２の間に配置される。代替の構成では、ＥＢＩユニット１２は、図４、図５、および図６のそれぞれに示すように、２つ、３つ、または４つの電極２２および２４を備えてもよい。電極２２および２４は、図示したように、電流源１８及び電圧源２０に電気的に接続されてもよい。
【００２７】
ＥＭＧユニット１４は、局所領域における対象の身体の（ＥＭＧ）電圧を概ね測定する。ＥＭＧ電圧は、それが測定される領域における骨格筋活動を示す。ＥＭＧユニット１４は、図７に示すように、電圧計３０と、「ＥＭＧ電極」３２とみなされるかまたは称される第３の複数の電極３２とを備える。電圧計３０は、３つの端子を備えてもよく、そのうちの２つが主端子とみなされる一方で、第３の端子が参照端子とみなされてもよい。電圧計３０は、３つの端子のうちの任意の２つの間の電圧を感知、検出、および／または測定する電気／電子回路を備えてもよい。
【００２８】
各ＥＭＧ電極３２は、電極２２および２４のうちの１つと構造、機能、及び作動について実質的に同一である。各ＥＭＧ電極３２は、電圧計３０の端子の１つに結合されるか、または電気的に接続される。ＥＭＧ電極３２は、図８に示すように、対象の身体に接続される。ＥＭＧユニット１４は、アナログまたはデジタルであり、および／または３つの端子のうちの２端子間の測定された電圧の値に応じて変化し、それに対応し、またはそれを示すデータを含む、電圧レベルまたは電流レベルを含むＥＭＧ電圧信号を出力する。典型的には、ＥＭＧ電圧信号は、３つの端子のうちの２端子間の電圧、結果としてＥＭＧ電圧である、３つのＥＭＧ電極３２のうちの２電極間の電圧の、デジタルデータ形式のサンプル値のストリーム、シリーズ、またはシーケンスを含む。
【００２９】
演算装置１６は、結腸活動をモニタリングするための処理、計算、演算などを概ね実行する。演算装置１６は、図１に示すように、通信素子３４、メモリ素子３６、および処理素子３８を備える。演算装置１６は、グラフィックディスプレイまたはタッチスクリーン、キーパッド、キーボード、マウス、オーディオスピーカ、および他のユーザインターフェース装置などの構成部品を備えてもよく、以下、これらについては周知であるので、詳細には説明しない。
【００３０】
通信素子３４は、一般に、演算装置１６が他の演算装置、外部システム、ネットワークなどと通信することを可能にする。通信素子３４は、アンテナ、増幅器、フィルタ、ミキサ、発振器、デジタル信号プロセッサ（ＤＳＰ）などの信号および／またはデータ送受信回路を備えてもよい。通信素子３４は、セルラ２Ｇ、３Ｇ、４Ｇ、Ｖｏｉｃｅ  ｏｖｅｒ  Ｉｎｔｅｒｎｅｔ  Ｐｒｏｔｏｃｏｌ（ＶｏＩＰ）、ＬＴＥ、Ｖｏｉｃｅ  ｏｖｅｒ  ＬＴＥ（ＶｏＬＴＥ）または５Ｇ、ＷｉＦｉなどのＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ））８０２．１１規格、ＷｉＭＡＸ、Ｂｌｕｅｔｏｏｔｈ（登録商標）、またはこれらの組み合わせなどのＩＥＥＥ  ８０２．１６規格などの通信規格に準拠する無線周波数（ＲＦ）信号および／またはデータを利用することにより、無線通信を確立してもよい。さらに、通信素子３４は、２．４ギガヘルツ（ＧＨｚ）でのＡＮＴ、ＡＮＴ＋、低エネルギーＢｌｕｅｔｏｏｔｈ（登録商標）（ＢＬＥ）、産業、科学、および医療（ＩＳＭ）バンドなどの通信規格を利用してもよい。よって、通信素子３４は、演算装置とＥＢＩユニット１２および／またはＥＭＧユニット１４との間のこれらの通信規格のうちの１つを介してデータを無線で送受信するように構成された無線トランシーバを備えてもよい。通信素子３４が、制御信号、測定されたインピーダンス信号、およびＥＭＧ電圧信号を演算装置１６との間で無線通信するための単一のトランシーバを備えてもよく、あるいは通信素子３４が、列挙された信号のそれぞれに対して１つのトランシーバを備えてもよい。
【００３１】
あるいは、または加えて、通信素子３４は、イーサネットなどのネットワーク技術と互換性のある、金属導体ワイヤまたはケーブルを受けるコネクタまたはカプラを介して通信を確立し得る。特定の実施形態では、通信素子３４は、光ファイバケーブルと結合されてもよい。通信素子３４は、メモリ素子３６及び処理素子３８と電子的に通信し得る。
【００３２】
メモリ素子３６は、一般にデータを、特にデジタルまたはバイナリデータを記憶する装置または構成部品によって具現化されてもよく、リードオンリメモリ（ＲＯＭ）、プログラマブルＲＯＭ、消去可能プログラマブルＲＯＭ、スタティックＲＡＭ（ＳＲＡＭ）またはダイナミックＲＡＭ（ＤＲＡＭ）などのランダムアクセスメモリ（ＲＡＭ）、キャッシュメモリ、ハードディスク、フロッピーディスク、光ディスク、フラッシュメモリ、サム駆動、ユニバーサルシリアルバス（ＵＳＢ）駆動、またはこれらの組み合わせなどの例示的な電子ハードウェアデータ記憶装置または構成部品を含んでもよい。一部の実施形態において、メモリ素子３６は、処理素子３８に埋め込まれてもよいし、または、処理素子３８と同一のパッケージに包装されてもよい。メモリ素子３６は、「コンピュータ可読媒体」を含んでもよく、または、構成してもよい。メモリ素子３６は、処理素子３８によって実行される指示、コード、コードステートメント、コードセグメント、ソフトウェア、ファームウェア、プログラム、アプリケーション、ａｐｐｓ、サービス、デーモンなどを記憶し得る。メモリ素子３６はまた、設定、データ、文献、サウンドファイル、写真、ムービー、画像、データベースなどをも記憶し得る。
【００３３】
処理素子３８は、１つまたは複数のプロセッサを備えてもよい。処理素子３８は、マイクロプロセッサ（シングルコアまたはマルチコア）、マイクロコントローラ、デジタル信号プロセッサ（ＤＳＰ）、フィールドプログラマブルゲートアレイ（ＦＰＧＡ）、アナログおよび／またはデジタル特定用途向け集積回路（ＡＳＩＣ）など、またはそれらの組合せなどの電子ハードウェア構成要素を含んでもよい。処理素子３８は、一般に、指示、コード、コードセグメント、コードステートメント、ソフトウェア、ファームウェア、プログラム、アプリケーション、ａｐｐｓ、プロセス、サービス、デーモンなどを実行、処理、または起動し得る。処理素子３８はまた、レジスタ、有限状態マシン、シーケンシャルおよび組合せ論理、ならびに本発明の動作に必要な機能を実行可能とする他の電子回路などのハードウェア構成要素をも含んでもよい。特定の実施形態では、処理素子３８は、別々にパッケージされるが単一のユニットとして機能する複数の計算コンポーネントおよび機能ブロックを含んでもよい。いくつかの実施形態では、処理素子３８は、アナログ電圧をサンプリングし、デジタルデータに変換するＡＤＣを含んでもよい。処理素子３８は、ユニバーサルバス、アドレスバス、データバス、制御ラインなどを含むシリアルまたはパラレルリンクを介して他の電子コンポーネントと電子通信し得る。
【００３４】
処理素子３８は、ハードウェア、ソフトウェア、ファームウェア、またはそれらの組み合わせを利用することによって、以下の機能を実行するように動作可能、構成、またはプログラムされ得る。処理素子３８は制御信号を生成し、それをＥＢＩユニット１２の電流源１８に通信する。制御信号は、インピーダンス測定を開始する電圧または電流のパルスであってもよく、または、制御信号は、インピーダンスが測定される期間中に送信される電圧または電流の一定値であってもよい。処理素子３８は、ＥＭＧユニット１４からＥＭＧ電圧信号を受信する。典型的には、ＥＭＧ電圧信号は、３つのＥＭＧ電極３２のうちの２電極間の電圧をサンプリングしたデジタルデータサンプル値のストリームである。あるいは、ＥＭＧ電圧信号は、測定されたＥＭＧ電圧に対応するアナログ電圧レベルを含んでもよい。処理素子３８のＡＤＣは、ＥＭＧ電圧信号をデジタルデータサンプル値のストリームに変換し得る。
【００３５】
処理素子３８は、ＥＢＩユニット１２から測定されたインピーダンス信号を受信する。
典型的には、測定されたインピーダンス信号は、インピーダンスＺの値のサンプリングされたデジタルデータサンプル値のストリームである。その代わりに、処理素子３８は、ＥＢＩユニット１２の電圧計２０から測定された電圧信号を受信してもよい。電流源１８からの電流が既知である場合、処理素子３８は、測定電圧のデジタルデータサンプル値を電流値で割り算した値としてインピーダンスＺを計算する。
【００３６】
処理素子３８は、既知の導関数または勾配計算手法を利用して、インピーダンスＺ値の導関数ｄＺ／ｄｔを計算、演算、または決定する。インピーダンスＺはデジタルデータサンプルのストリームであるため、導関数ｄＺ／ｄｔもまた、デジタルデータ値のストリームである。ＥＭＧ電圧、インピーダンスＺ、および導関数ｄＺ／ｄｔの値が与えられると、処理素子３８は、ＥＭＧ電圧とインピーダンスＺとの間の第１の相関、ＥＭＧ電圧と導関数ｄＺ／ｄｔとの間の第２の相関、およびインピーダンスＺと導関数ｄＺ／ｄｔとの間の第３の相関を計算、演算、または決定する。特定の実施形態では、ＥＭＧ電圧、インピーダンスＺ、または導関数ｄＺ／ｄｔのデータストリームのうちの１つまたは複数が、第１、第２、および第３の相関を計算、演算、または決定する前に、フィルタリング、平均化、および／または可変性分析を適用することなどによって調整される。
【００３７】
処理素子３８は、ＥＭＧ電圧、インピーダンスＺ、および導関数ｄＺ／ｄｔの値のストリーム、ならびに第１の相関、第２の相関、および第３の相関をメモリ素子３６に記憶し得る。処理素子３８はまた、ＥＭＧ電圧値、インピーダンスＺの値、およびこれら値の導関数ｄＺ／ｄｔおよび／または統計値（例えば、平均値、標準偏差、高値、低値等）をディスプレイまたはスクリーン上に表示し得る。加えて、またはその代わりに、処理素子３８は、ＥＭＧ電圧、インピーダンスＺ、および導関数ｄＺ／ｄｔの値を、時間に対する値の波形として表示し得る。
【００３８】
一般に、ＥＭＧ電圧に重要な変化のない状態でのインピーダンスＺの変化は、結腸活動を示す。ＥＭＧ電圧測定は、ノイズをフィルタリングし、インピーダンスＺの測定を分離するように作用し得る。このフィルタリングは、腕および／または脚の運動などの対象の身体の物理的運動と、内臓、特に結腸の活動とを区別するのに役立ち得る。
【００３９】
処理素子３８は、第１、第２、および／または第３の相関のうちの１つまたは複数を利用して、結腸活動をモニタリングし、腸運動などの腸事象が発生しようとしていることを判定、検出、または予測する。特に、処理素子３８は、これら相関のうちの少なくとも１つが所定の閾値を上回るか下回る値を有する時期、または相関のうちの少なくとも１つが所定の値の範囲内の値を有する時期を判定し得る。加えて、またはその代わりに、処理素子３８は、これら相関のうちの１つが所定の第１の値の範囲内の値を有する時期、ならびにこれら相関のうちの別のものが所定の第２の値の範囲内の値を有する時期を判定することができる。第１の例示的な実施形態では、処理素子３８は、（ＥＭＧ電圧とインピーダンスＺとの間の）第１の相関が０．７５より大きい値を有するときに腸事象が発生しようとしていると判定し得る。第２の例示的な実施形態では、処理素子３８は、（ＥＭＧ電圧とインピーダンスＺとの間の）第１の相関が比較的高く、すなわち０．７５より大きい値を有し、（インピーダンスＺと導関数ｄＺ／ｄｔとの間の）第３の相関が比較的低く、すなわち約０と約０．２５との間の値を有するときに、腸事象が発生しようとしていると判定し得る。
【００４０】
処理素子３８は、腸事象が発生しようとしていると判定すると、（警戒）ライトを作動させること、スピーカを介して音（警報または警告など）を出すこと、装置を振動させること、画面上にメッセージを表示すること、テキストメッセージを送信すること、電子メールメッセージを送信すること、自動オーディオメッセージを送信すること、着信音を再生すること、スマートフォンのアプリケーション通知を作動させること、時計または眼鏡などのスマートウェアラブル電子機器を作動させること、埋め込み型電子機器を作動させることなどのうちの１つまたは複数を行うことによって、事象の表示を提供し得る。
【００４１】
システム１０はまた、処理素子３８が、特定の対象または個人のインピーダンスＺ値およびＥＭＧ電圧値のデータ量を収集する、学習モードまたはプロファイル展開モードを有してもよい。典型的には、学習モードは、対象が正常な（腸事象が差し迫っていない）状況および腸事象状況の間休んでいるときにデータを取得できるように、既知のまたは制御された状態で生じる。処理素子３８は、インピーダンスＺデータおよびＥＭＧ電圧データのベースライン値またはレベルを決定するために、人工知能、アルゴリズム、統計モデルなど、またはそれらの組み合わせを利用し得る。加えて、またはその代わりに、インピーダンスＺデータおよびＥＭＧ電圧データのベースライン値またはレベルは、手動で入力されるか、または示されてもよい。ベースライン値またはレベルが確立された後、処理素子３８は、上述のように正常モードで動作し得る。
【００４２】
システム１０は、以下のように動作または機能し得る。ＥＢＩユニット１２用の電極２２および２４は、図１０に示すように、対象の身体の皮膚と接触するように配置される。この構成を用いると、電界が結腸領域を中心とするように対象の後側の臀部領域において四辺形な構成で配置された電流源１８からの２つの電極対２２間に循環する電界が生成され、かつ電圧計２０からの２つの電極対２４は、一対の電圧電極２４が各一対の電流電極２２に近接し、これにより生成された電界内に位置する状態で配置されている。
【００４３】
図９および図１０を参照すると、結腸上に電界を中央に置くためには、電流電極２２は、２つの電極２２が身体の各後側に配置されるように、好ましくは配置され、かつ骨盤の横方向（側面）視における電極２２の前後の整列が概ね坐骨棘と尾骨との間にあるように、図９Ａ〜図９Ｄ中のハッチングされたボックスによって示され、胸郭の腋窩中央線によって画定された実質的な平面に沿って整列される。電流源１８からの電極２２の上位から下位（上面から下面）への整列は、電極２２（の上位）対が、腸骨稜の下の身体の各側の１つの電極２２と離間した関係で、好ましくは、後方上位の腸骨棘と概ね水平に整列した平面の下で結合されるようになされている。第２（下位の）電極対２２は、直腸と概ね水平に整列した平面に沿って身体の各側で離間した関係で結合され、身体のその側で他のそれぞれの電極２２に垂直に整列する。このため、身体の後方図では、４つの電流発生電極が、殿部領域を「枠組み」する四辺形の周囲を画定するものとして特徴付けられる。図９Ａ〜図９Ｄに示すように、このような配置により、発生された電界が、対象の領域内の尾骨、大腿骨、股関節、および他の骨からの「干渉」を回避することを可能にし、それにより、インピーダンスＺの測定値が、内部結腸運動性に基づくようになる。電圧電極２４は、初期電流およびそれに対する変化を検出するために、四辺形の周囲の内側に配置される。好ましくは、図１０に示すように、第１の電圧電極対２４は、各々が上位電流電極２２の各々に近接するがその下に配置され、また第２の電圧電極対２４は、下位電流電極２２の各々に近接するがその上に位置される。より好ましくは、身体の各側のそれぞれの電流電極２２および電圧電極２４が、ほぼ垂直に整列している。このため、上位および下位の電流電極２２（すなわち、構成の「外側」電極）は、非常に低い一定の交流を印加するために電気信号を連続的に送受信し、一方、電圧電極２４（すなわち、「内側」電極）は、インピーダンスを断続的にまたは常時検出および測定し、印加された電流を受けることが認められるであろう。換言すれば、対象の身体の左側に接触するように構成された電流電極２２および電圧電極２４は、第１のインピーダンス測定群４０を形成する一方で、対象の身体の右側に接触するように構成された電流電極２２および電圧電極２４は、第２のインピーダンス測定群４２を形成する。
【００４４】
ＥＭＧ電極３２は、図１０に示すように、対象の身体の皮膚と接触するように配置される。ＥＭＧ電極３２のうちの２つは、身体の一方側の第１インピーダンス測定群４０または第２のインピーダンス測定群４２のいずれかの電極２２および２４と概ね垂直に整列して配置される。図１０に示す例示的な実施形態では、ＥＭＧ電極３２は、身体の右側の第２のインピーダンス測定群４２の電極２２および２４と概ね垂直に整列して配置される。
図１０に示すように、ＥＭＧ電極３２の一方は、好ましくは、腸骨稜によって画定される水平面により近く、上位電流電極２２よりも上方に配置され、他方のＥＭＧ電極３２は、好ましくは、大腿の上側横方向側の部分などの、下位電流電極２２よりも下方に配置される。第３のＥＭＧ電極３２は、好ましくは、腰部付近の他のＥＭＧ電極３２の近傍に配置されて、参照信号として作用する。
【００４５】
電極２２、２４、および３２は、上述した相対位置に配置されると、結腸運動をモニタリングするための電極２２、２４、および３２のアレイ４４を形成する。アレイ４４は、全部で１１個の電極２２、２４、および３２を含み、８個の電極２２および２４は、インピーダンスＺの測定と関連付けられ、ＥＢＩユニット１２に電気的に接続するように構成され、３個の電極３２は、ＥＭＧ電圧の測定と関連付けられ、ＥＭＧユニット１４に電気的に接続するように構成される。４つの電流電極２２は、（電流源１８からの）電流注入を提供し、各電流電極２２は、第１の四辺形の４つの縁の連続する１つに配置される。４つの電圧電極２４は、（電圧計２０からの）電圧測定値を提供し、各電圧電極２２が第２の四辺形の４つの角のうちの連続する１つに配置され、ここで、この第２の四辺形は、第１の四辺形よりも１つの寸法が小さく、概して第１の四辺形内に配置される。第１の電圧電極対２４は、第１の電流電極対２２と概ね整列され、第１のインピーダンス測定群４０を形成する。第２の電圧電極対２４は、第２の電流電極対２２と概ね整列され、第２のインピーダンス測定群４２を形成する。ＥＭＧ電極３２のうちの２つは、第１のインピーダンス測定群４０または第２のインピーダンス測定群４２のいずれかと概ね整列して配置され、一方のＥＭＧ電極３２が群４０および４２の一方の端部に隣接して配置され、他方のＥＭＧ電極３２が群４０および４２の他方の端部に配置される。第３のＥＭＧ電極３２は、第１の四辺形の境界のほぼ外側にある２つの第１のＥＭＧ電極３２の近傍に配置される。
【００４６】
全ての電極２２、２４、および３２が設置されると、処理素子３８は、制御信号を少なくともＥＢＩユニット１２に通信することにより、インピーダンスＺ測定およびＥＭＧ測定を開始し得る。特定の実施形態では、ＥＢＩユニット１２およびＥＭＧユニット１４は、自動的に作動し得る。いずれの場合も、ＥＢＩユニット１２は、処理素子３８がインピーダンスＺのサンプリングされたデジタルデータ値のストリームを受信するように、測定されたインピーダンス信号を演算装置１６の処理素子３８に通信する。加えて、ＥＢＩユニット１４は、処理素子３８がＥＭＧ電圧のサンプリングされたデジタルデータ値のストリームを受信するように、ＥＭＧ電圧信号を演算装置１６の処理素子３８に通信する。
【００４７】
システム１０は、手動で又は自動的に学習モードに置かれてもよく、この学習モードでは、処理素子３８は、特定の対象又は個人に対するインピーダンスＺデータ及びＥＭＧ電圧データのベースライン値又はレベルを決定する。学習モードが完了した後、または学習モードが利用されない場合、処理素子３８は、インピーダンスＺ値の導関数ｄＺ／ｄｔを計算し、演算し、または決定する。処理素子３８はまた、第１の相関、第２の相関、および第３の相関を計算し、演算し、または決定する。処理素子３８は、第１、第２、および／または第３の相関のうちの１つまたは複数を利用して、腸事象が発生しようとしていることを判定、検出、または予測する。一般に、処理素子３８は、１つまたは複数の相関が所定の値の範囲内の値を有するときに腸事象が発生しようとしていると判定する。処理素子３８は、腸事象が発生しようとしていると判定すると、ライトを作動させたり、警報を鳴らしたり、または通知を送るなどによって、事象の表示を提供し得る。
【００４８】
図１１〜図１３を参照すると、システム１０の様々な実施形態は、電子ユニット４８に含まれる少なくともＥＢＩユニット１２及びＥＭＧユニット１４を保持する衣料品４６を含んでもよい。衣料品４６は、下着、布又は使い捨て型おむつ、トレーニングパンツ、ガードル、パンツ、パンティーホース、ショーツ、ブリーフ、ボクサーブリーフ等の、対象の結腸直腸領域に近接し、かつ患者の皮膚に接触する対象に着用されるように構成された任意の適切な衣類又は衣服であってもよい。システム１０の構成要素を正確に配置するために、衣料品４６または衣料品４６の特定の領域は、一般に、緩い衣料品とは対照的に、対象の身体にぴったりとフィットしており（別名「スキンタイト」であり）、特定の性別用または男女共用の肌着またはパンツによって具現化されてもよいことは認められるところであろう。電極２２、２４、および３２は、衣料品４６が通常の方法で着用されるときに各電極２２、２４および３２の接触面が対象の身体の皮膚に接触するように、布地内に埋め込まれたものとして、衣料品４６の本体に保持または結合される。各電極２２、２４、および３２は、上述の及び図１０に示した、あるいは電極２２，２４、および３２のアレイ４４について説明したのと同じ位置で、対象の皮膚に接触するように、衣料品４６内に配置される。電子ユニット４８は、電池のような電源と、衣料品４６が通常の方法で着用されたときに電子ユニット４８が快適に収容されることを可能にするパッケージングとを追加的に備えてもよい。
【００４９】
いくつかの実施形態では、制御信号、測定されたインピーダンス信号、およびＥＭＧ電圧信号がケーブルを介して通信されるように、（単一導体または複数導体の）ケーブルが、電子ユニット４８を演算装置１６に電気的に接続してもよい。システム１０は、上述したのと実質的に同様に機能する。
【００５０】
他の実施形態では、電子ユニット４８はまた、図１３に示すように、１つまたは複数のワイヤレストランシーバ５０も備える。ワイヤレストランシーバ５０は、上述の通信素子３４と同様の特徴を有することにより、当該ワイヤレストランシーバが、ＡＮＴ、ＡＮＴ＋、Ｂｌｕｅｔｏｏｔｈ（登録商標）、ＢＬＥ、ＩＳＭ、ＷｉＦｉ、セルラなどを介してデータを送受信するように構成されてもよい。電子ユニット４８は、制御信号、測定されたインピーダンス信号、およびＥＭＧ電圧信号を演算装置１６と通信するための単一のトランシーバを備えてもよく、あるいは電子ユニット４８は、列挙された信号のそれぞれに対して１つのトランシーバを備えてもよい。
【００５１】
上述したように、図１３に示されるように、ＥＢＩユニット１２、ＥＭＧユニット１４、およびワイヤレストランシーバ５０を備える電子ユニット４８は、衣料品４６とは独立した形態で自立して実施され、衣料品４６には保持されないことは認められるところであろう。また、電子ユニット４８は、衣料品４６なしで、以下に説明するように機能してもよい。
【００５２】
いくつかの実施形態では、電子ユニット４８は、測定されたインピーダンス信号及びＥＭＧ電圧信号を、シグナルリピータとして機能し、測定されたインピーダンス信号及びＥＭＧ電圧信号を演算装置１６に通信する基地局５２に通信する。他の実施形態では、電子ユニット４８は、測定されたインピーダンス信号およびＥＭＧ電圧信号を演算装置１６に直接通信する。いずれの状況においても、演算装置１６は、上述したように、データ計算を実行し、腸事象が発生しようとしている時期を判定する。処理素子３８は、腸事象が発生しようとしていると判定すると、ライトを作動させたり、警報を鳴らしたり、または通知をスマートフォンや他のモバイル電子機器に送ったり、時計もしくは眼鏡などのスマートウェアラブル電子機器または埋め込み型電子機器などを作動させることによって、事象の表示を提供し得る。
【００５３】
特定の実施形態では、演算装置１６は、スマートフォン、ウェアラブルスマート機器、埋め込みスマート機器、またはその他の機器に例示されるモバイル電子機器５４によって具体化される、またはその中に含まれ得る。電子ユニット４８は、上述したように、測定されたインピーダンス信号及びＥＭＧ電圧信号を、データ計算を実行し、かつ腸事象が発生しようとしている時期を判定するモバイル電子機器５４に通信する。モバイル電子機器５４は、腸事象が発生しようとしていると判定すると、振動したり、着信音または可聴警告を再生したり、画面上にメッセージまたは通知を表示したり、あるいはそれらの組合せなどによって、事象の表示を提供し得る。
【００５４】
さらに他の実施形態では、電子ユニット４８は、システム１０を衣料品４６に内蔵または独立化させる演算装置１６をさらに備える。システム１０は、上述したように、腸事象が発生しようとしている時期を判定する。システム１０は、腸事象が発生しようとしていると判定すると、スマートフォンに通知を送信すること、あるいはライトの作動や警報の鳴動などを可能とする他の機器に通知を送信することによって、事象の表示を提供し得る。
【００５５】
本発明の様々な実施形態の追加的な利点は、本明細書の開示および以下の実施例を検討することにより、当業者に明らかになるであろう。本明細書で説明される様々な実施形態は、本明細書で別段の指示がない限り、必ずしも相互に排他的ではないことは認められるところであろう。例えば、一実施形態で説明または描写された特徴は、他の実施形態に含まれてもよいが、必ずしも含まれるとは限らない。したがって、本発明は、本明細書に記載される特定の実施形態の様々な組み合わせおよび／または統合を包含するものである。
【００５６】
本明細書で使用される、「および／または」という語句は、２つ以上のアイテムのリストで使用される際、リストされたアイテムのうちのいずれかが単独で使用され得ること、またはリストされたアイテムのうちの２つ以上の任意の組合せが使用され得ることを意味する。例えば、組成が、構成要素Ａ、Ｂおよび／またはＣを含んでいる、または除外していると記載されている場合には、その組成は、Ａのみ、Ｂのみ、Ｃのみ、Ａ及びＢの組合せ、ＡおよびＣの組合せ、ＢおよびＣの組合せ、またはＡ、ＢおよびＣの組合せを含むまたは除外することができる。
【００５７】
本明細書はまた、数値範囲を使用して、本発明の様々な実施形態に関連する特定のパラメータを定量化する。数値範囲が提供される場合、そのような範囲は、範囲のより低い値のみを列挙する請求項の限定、ならびに範囲のより高い値のみを列挙する請求項の限定のための文字通りのサポートを提供するものとして解釈されると理解されるべきである。
例えば、約１０〜約１００の開示された数値範囲は、「約１０より大きい」（上限なし）を列挙する請求項及び「約１００より小さい」（下限なし）を列挙する請求項に対する文字通りのサポートを提供する。
【実施例】
【００５８】
以下、実施例により本発明に係る方法を説明する。しかしながら、これらの実施例は、例示により提供されるものであり、本発明の全体的な範囲について限定するものと解釈されるべきではないと理解されることである。
【００５９】
実施例１
ＥＭＧは、骨格筋の電気的活動を検出し、一方、ＥＢＩは、電流の流れに対する様々な生物学的組織の内部抵抗を測定する。制御された量の電流が、電流電極２２を通って組織の切片に印加され、その組織を横切って得られた電圧は、記録およびその後の分析のための検出可能な信号を提供する。密度、材料含有量、流体伝導率、または配座などの内部構成の任意の変化は、検出電圧の変化によって検出される。印加電流の量、電圧測定値、および位相角に関する情報は、その組織領域のインピーダンスプロファイルを特徴付け可能にする。交流（ＡＣ）は、典型的には、インピーダンス測定において電流源として使用される。
【００６０】
本実施例では、表面電極２２、２４、および３２を介したＥＢＩおよびＥＭＧ測定値を非侵襲的構成で使用して、下行結腸および直腸の運動を評価した。体動アーチファクトを分析して、内因性腸活動と区別した。直腸を横切る等電位線又は電界の生成を最大にするように意図された構成において、１ｍＡ未満で５０ｋＨｚの周波数の固定交流を骨盤領域に印加した。この予備的な前臨床研究は、半臥位での休息時、および股関節屈曲、外部胃圧、りきみ、および刺激性緩下剤の摂取の間の測定を含めた。ＥＭＧ信号、インピーダンスＺ、およびインピーダンスの導関数（ｄＺ／ｄＴ）の分析は、フィルタリング、平均化、および可変性分析によって、分散期間の平均化および標準偏差（ＳＤ）を考慮して行った。その結果は、結腸直腸生体電気インピーダンスの概念的枠組みを支持し、様々な条件下でのＥＭＧ活性とＥＢＩ活性との間の差異を証明する。
【００６１】
このプロトコールでは、電流電極２２を用いて対象の結腸を中心とする電界を生成する一方で、電圧電極２４を用いてその電界の変化を検出した。この構成では、図１０に示すように、４つの電極２２を用いて電界を発生させ（４つの外側電流発生電極）、かつ４つの内側電圧検出電極２４を用いてその変化を検出した。２つの追加のＥＭＧ電極３２は、ＥＭＧ信号を検出するために、インピーダンス電極線の一方の極端に配置した（図１０）。
衣料品４６を使用して、電極２２、２４、および３２の位置決めを維持し、通常の運動中の皮膚の屈曲により電極が乖離するのを回避した。電極２２および２４は、出力信号を受信するために、電源および受信機／モニタに取り付けられる。ＥＭＧ２−ＲおよびＮＩＣＯ−Ｒ  ＢｉｏＮｏｍａｄｉｘ心拍モジュールを含むＡＣＱＫｎｏｗｌｅｄｇｅ  ５ソフトウェア（ＢＩＯＰＡＣ  Ｓｙｓｔｅｍｓ、Ｇｏｌｅｔａ  ＣＡ）を有するＢＩＯＰＡＣ  Ｓｙｓｔｅｍｓ  ＭＰ１６０を適合させて、電流を生成し、電気信号を測定した。
【００６２】
小電流（＜１ｍＡ）が対象の結腸直腸領域を横切って出力され、結腸を中心とする電界を生成する。そして、身体の結腸領域に沿って生成された電圧は、検出電極２４によって検出され、受信機に送信され、結腸における生体インピーダンスの信号に対応する電圧の変化が決定される。筋肉の運動もまたＥＭＧ電極３２により検出され、受信機に送信される。
【００６３】
インピーダンスＺおよびＥＭＧの測定を、以下のように、経時的に、および異なる条件下で行った。
−この構成（呼吸、上部結腸運動、筋肉不随意運動など）について内部の自然なノイズを観察するために、セミファーラー位で休息状態で５分間記録した。
−１５秒毎に交互に脚を持ち上げて５分間。この動作には４秒間かかる（持ち上げに２秒、元の位置に戻すのに２秒）。このステップの目的は、自然な足の動きによる変化を観察することである。
−機械的補助なしに、１５秒毎に自発的な腹部圧迫を行う５分間。各圧迫事象には４秒間かかる。これは、例えば、深呼吸の効果を与える。
−１５秒毎に内部プッシング（排泄する必要があるならば）を５分間。このステップは、排泄しようとする自発的な試みを、排泄を促進しようとする筋肉の不随意な反応から識別することである。
−緩下剤を投与し、続いて１時間完全に休息し、この領域における電気的および運動活性への薬剤の効果を観察する。
【００６４】
ＥＭＧ信号、インピーダンスＺ、およびインピーダンスの導関数（ｄＺ／ｄＴ）の分析は、０．５秒間の平均化
【数１】
2020531082.tif 000003
および標準偏差（ＳＤ）、ならびに（Ｎ−１）点のオーバーラップを考慮して、フィルタリング、平均化、および可変性分析によって行う。これは、平均化しかつオーバーラップによりＳＤデータの変動をも平滑化させることによって、信号を平滑化することを意味する。３つのシグナル間の平均値およびデータ変動の相関をとった。
【００６５】
方法論に記載された事象を有する各信号のサンプルを図１４Ａ〜図１４Ｅに示す。上述したように、信号（ＥＭＧ、Ｚ、ｄＺ／ｄＴ）間の相関分析のために、平均化およびＳＤデータを考慮した。明らかな理由により、最も大きな相関がＺ対ｄＺ／ｄＴについて現れることが予想された。休息（基礎）段階をとる目的は、電極２２、２４、および３２の構成が他の内部運動に敏感であるかどうかを観察することである。この基礎段階では、インピーダンスデータ（ＺまたはｄＺ／ｄＴ）とＥＭＧとの間に大きな相関は見られなかった。
誘発された外乱に対応する他の３つのステップは、強度および特定のノイズレベルが異なる信号間で明らかな相関を示している（表１）。
【００６６】
【表１】
2020531082.tif 000004
【００６７】
内部プッシングおよび投薬（緩下剤）による事象については、ＥＭＧとインピーダンス（Ｚ）との間の相関は、このような事象の潜在的な識別因子として考慮されるのに十分に高く、統計的に有意である。ＺとｄＺ／ｄＴとの間の相関は、投薬の場合が最も低い。
この最後の結果は、薬剤の効果のために、Ｚ信号が他の場合と比べてこの場合にノイズが多いことを意味する。これは、システム１０が、様々な異なる薬物に関する薬力学分析にも有用であり得ることを示す。
【００６８】
実施例２
システム１０は、対象が結腸活動をモニタリングしかつ識別するために様々な活動を行っている際に使用された。実施例１にて説明したように、ＥＭＧ（筋活動）、インピーダンス（Ｚ、内部電気抵抗）、およびインピーダンス変化（ｄＺ／ｄＴ）をシステム１０で測定した。これら３つのシグナル間の相関（Ｒ）は、結腸活動を示す。システム１０は、異なる生理学的状態での個別のパターンを識別するために、インピーダンスＺおよびＥＭＧ信号を記録および分析する。これらの状態には、休息、骨格筋運動（腹部および上肢）、りきむ動作、ならびに内因性および不随意の結腸収縮が含まれる。
【００６９】
対象は、果物を含むヨーグルトの通常の朝食を摂取し、システム１０を、少なくとも４時間後に測定値を収集するために使用した。対象はベッドに横たわっている休息時の１５分間にモニタリングされ、続いて、２０秒間隔で各４秒間の能動的な「プッシング」を５分間行った。このデータを図１５に示す。またこの休息時間後、対象は、４７３ｍｌのチョコレートミルクを消費し、続いて１２分後に、２０秒間隔で３分間プッシングをした。同様の結果が得られた。この結果を図１６に示す。
【００７０】
別の機会において、１日後、対象は、試験の少なくとも４時間前に同じ朝食を摂取し、２９６ｍｌの冷たいフルーツジュースを消費した。対象を座らせた。この結果を図１７に示す。
【００７１】
これらの試験で観察された主な成果は以下の通りである。弛緩は、筋電作用を阻害するが、内部プッシングは、この作用をプッシング事象の間だけ誘発するのではなく、すなわち、明らかに「結腸の覚醒」を誘発する。（実際の結腸活動の）偽陽性は、骨盤および主に直腸の随意運動、ならびにしゃっくりなどの不随意運動の場合に観察される。溜め息のような他の事象は、ｄＺ／ｄＴ事象がいかなるＥＭＧ活動にも対応しないので、明確に区別される。大腿または腕からの運動は、ＥＭＧ事象を有するが、ｄＺ／ｄＴ対応事象を有さない。インピーダンス（またはｄＺ／ｄＴ）事象とＥＭＧとの相関は、直ちに、または遅延効果（ＥＭＧ活動事象後のインピーダンス変化）として見ることができた。また、我々は、見掛けの連続ＥＭＧノイズパターンの変化に対応するｄＺ／ｄＴのスパイクを伴ういくつかの事象を観察した。排泄緊急の状況下では、周期的な感覚およびＥＭＧ事象（対応するＺ事象を伴う）が記録され、時間が経過すると連続的な活動が増加し、したがって、フルネス感覚が増大する。
【００７２】
ＥＭＧ活動は、感覚なしで観察されるが、全ての感覚は、インピーダンス変化に関連する。ＥＭＧ−ｄＺ／ｄＴ相関も、感覚なしに観察される（非常に小さくて弱い結腸活動の場合であるように思われる）。信号間の相関は、分析を対象領域に集中させると良好である（明らかな事象がなく、雑音のみを伴う体動アーチファクトおよび周期を除く）。実際のところ、最良の相関は、ＥＭＧ信号とｄＺ／ｄＴ信号との間にある。
【００７３】
本発明を添付図面に示す実施形態を参照して説明したが、特許請求の範囲に記載の本発明の範囲から逸脱することなく、均等を採用し、本明細書においてこれと置換することができることに留意されたい。
【００７４】
本発明の様々な実施形態について説明したが、特許によって保護されることが望まれる新規な請求項は、以下のものを含む。
【図１】
2020531082.tif 000005
【図２】
2020531082.tif 000006
【図３Ａ】
2020531082.tif 000007
【図３Ｂ】
2020531082.tif 000008
【図４】
2020531082.tif 000009
【図５】
2020531082.tif 000010
【図６】
2020531082.tif 000011
【図７】
2020531082.tif 000012
【図８】
2020531082.tif 000013
【図９Ａ】
2020531082.tif 000014
【図９Ｂ】
2020531082.tif 000015
【図９Ｃ】
2020531082.tif 000016
【図９Ｄ】
2020531082.tif 000017
【図１０】
2020531082.tif 000018
【図１１】
2020531082.tif 000019
【図１２】
2020531082.tif 000020
【図１３】
2020531082.tif 000021
【図１４Ａ】
2020531082.tif 000022
【図１４Ｂ】
2020531082.tif 000023
【図１４Ｃ】
2020531082.tif 000024
【図１４Ｄ】
2020531082.tif 000025
【図１４Ｅ】
2020531082.tif 000026
【図１５】
2020531082.tif 000027
【図１６】
2020531082.tif 000028
【図１７Ａ】
2020531082.tif 000029
【図１７Ｂ】
2020531082.tif 000030
【図１７Ｃ】
2020531082.tif 000031
【図１７Ｄ】
2020531082.tif 000032
【国際調査報告】
2020531082.tif 000033
2020531082.tif 000034
2020531082.tif 000035